(57)【特許請求の範囲】
【請求項１】
少なくとも第１のラジオ・アクセス技術（ＲＡＴ）ネットワークと第２のＲＡＴネットワークとにおいて通信することが可能なデバイスによる無線通信のための方法であって、
複数のパケット・データ・ネットワーク（ＰＤＮ）コンテキストとの接続を用いて、前記第１のＲＡＴネットワークにおいて通信することと、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信することとを備え、ここにおいて、前記新しいＰＤＮコンテキスト及び前記複数のＰＤＮコンテキストの組み合わせである少なくとも２つのＰＤＮコンテキストはともにアクティブ化される、方法。
【請求項２】
前記第１のＲＡＴネットワークおよび前記第２のＲＡＴネットワークのうちの少なくとも１つは、ロング・ターム・イボリューション（ＬＴＥ）ネットワークを備える、請求項１に記載の方法。
【請求項３】
前記単一のシグナリング・メッセージは、複数のＰＤＮ接続要求を伴うハンドオーバ・アタッチ要求メッセージを備える、請求項２に記載の方法。
【請求項４】
各ＰＤＮは個別にアクティブ化される、請求項３に記載の方法。
【請求項５】
前記ＰＤＮのうちの少なくとも２つがともにアクティブ化される、請求項３に記載の方法。
【請求項６】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項１に記載の方法。
【請求項７】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項６に記載の方法。
【請求項８】
各ＰＤＮは個別にアクティブ化される、請求項７に記載の方法。
【請求項９】
前記ＰＤＮのうちの少なくとも２つがともにアクティブ化される、請求項７に記載の方法。
【請求項１０】
前記単一のシグナリング・メッセージはさらに、前記移行の一部として転送されるべきＰＤＮコンテキストの数を示す、請求項１に記載の方法。
【請求項１１】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項１に記載の方法。
【請求項１２】
少なくとも第１のラジオ・アクセス技術（ＲＡＴ）ネットワークと第２のＲＡＴネットワークとにおいて通信することが可能なデバイスによる無線通信のための方法であって、
複数のパケット・データ・ネットワーク（ＰＤＮ）コンテキストとの接続を用いて、前記第１のＲＡＴネットワークにおいて通信することと、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信することとを備え、ここにおいて、前記新しいＰＤＮコンテキスト及び前記複数のＰＤＮコンテキストの各々は個別にアクティブ化される、方法。
【請求項１３】
少なくとも第１のラジオ・アクセス技術（ＲＡＴ）ネットワークと第２のＲＡＴネットワークにおいて通信することが可能なデバイスとの無線通信のための方法であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信することと、
前記第１のＲＡＴネットワークから前記第２のＲＡＴネットワークへ前記複数のＰＤＮコンテキストを転送するために、前記単一のシグナリング・メッセージを処理することと、を備え、ここにおいて、前記新しいＰＤＮコンテキスト及び前記複数のＰＤＮコンテキストの組み合わせである少なくとも２つのＰＤＮコンテキストはともにアクティブ化される、方法。
【請求項１４】
前記第１のＲＡＴネットワークおよび前記第２のＲＡＴネットワークのうちの少なくとも１つは、ロング・ターム・イボリューション（ＬＴＥ）ネットワークを備える、請求項１３に記載の方法。
【請求項１５】
前記単一のシグナリング・メッセージは、複数のＰＤＮ接続要求を伴うハンドオーバ・アタッチ要求メッセージを備える、請求項１４に記載の方法。
【請求項１６】
各ＰＤＮは個別にアクティブ化される、請求項１５に記載の方法。
【請求項１７】
前記ＰＤＮのうちの少なくとも２つがともにアクティブ化される、請求項１５に記載の方法。
【請求項１８】
前記単一のシグナリング・メッセージはさらに、前記移行の一部として転送されるべきＰＤＮコンテキストの数を示す、請求項１３に記載の方法。
【請求項１９】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項１３に記載の方法。
【請求項２０】
少なくとも第１のラジオ・アクセス技術（ＲＡＴ）ネットワークと第２のＲＡＴネットワークにおいて通信することが可能なデバイスとの無線通信のための方法であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信することと、
前記第１のＲＡＴネットワークから前記第２のＲＡＴネットワークへ前記複数のＰＤＮコンテキストを転送するために、前記単一のシグナリング・メッセージを処理することと、を備え、ここにおいて、前記新しいＰＤＮコンテキスト及び前記複数のＰＤＮコンテキストの各々は個別にアクティブ化される、方法。
【請求項２１】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項１３に記載の方法。
【請求項２２】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項２１に記載の方法。
【請求項２３】
各ＰＤＮは個別にアクティブ化される、請求項２２に記載の方法。
【請求項２４】
前記ＰＤＮのうちの少なくとも２つがともにアクティブ化される、請求項２２に記載の方法。
【請求項２５】
少なくとも第１のラジオ・アクセス技術（ＲＡＴ）ネットワークと第２のＲＡＴネットワークにおいて通信することが可能なデバイスによる無線通信のための装置であって、
複数のパケット・データ・ネットワーク（ＰＤＮ）コンテキストとの接続を用いて、前記第１のＲＡＴネットワークにおいて通信する手段と、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信する手段を備え、ここにおいて、前記新しいＰＤＮコンテキスト及び前記複数のＰＤＮコンテキストの組み合わせである少なくとも２つのＰＤＮコンテキストはともにアクティブ化される、装置。
【請求項２６】
前記第１のＲＡＴネットワークおよび前記第２のＲＡＴネットワークのうちの少なくとも１つは、ロング・ターム・イボリューション（ＬＴＥ）ネットワークを備える、請求項２５に記載の装置。
【請求項２７】
前記単一のシグナリング・メッセージは、複数のＰＤＮ接続要求を伴うハンドオーバ・アタッチ要求メッセージを備える、請求項２８に記載の装置。
【請求項２８】
各ＰＤＮは個別にアクティブ化される、請求項２７に記載の装置。
【請求項２９】
前記ＰＤＮのうちの少なくとも２つがともにアクティブ化される、請求項２７に記載の装置。
【請求項３０】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項２５に記載の装置。
【請求項３１】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項３０に記載の装置。
【請求項３２】
各ＰＤＮは個別にアクティブ化される、請求項３１に記載の装置。
【請求項３３】
前記ＰＤＮのうちの少なくとも２つがともにアクティブ化される、請求項３１に記載の装置。
【請求項３４】
前記単一のシグナリング・メッセージはさらに、前記移行の一部として転送されるべきＰＤＮコンテキストの数を示す、請求項２５に記載の装置。
【請求項３５】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項２５に記載の装置。
【請求項３６】
少なくとも第１のラジオ・アクセス技術（ＲＡＴ）ネットワークと第２のＲＡＴネットワークにおいて通信することが可能なデバイスによる無線通信のための装置であって、
複数のパケット・データ・ネットワーク（ＰＤＮ）コンテキストとの接続を用いて、前記第１のＲＡＴネットワークにおいて通信する手段と、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信する手段を備え、ここにおいて、前記新しいＰＤＮコンテキスト及び前記複数のＰＤＮコンテキストの各々は個別にアクティブ化される、装置。
【請求項３７】
少なくとも第１のラジオ・アクセス技術（ＲＡＴ）ネットワークと第２のＲＡＴネットワークにおいて通信することが可能なデバイスとの無線通信のための装置であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信する手段と、
前記第１のＲＡＴネットワークから前記第２のＲＡＴネットワークへ前記複数のＰＤＮコンテキストを転送するために、前記単一のシグナリング・メッセージを処理する手段と、を備え、ここにおいて、前記新しいＰＤＮコンテキスト及び前記複数のＰＤＮコンテキストの組み合わせである少なくとも２つのＰＤＮコンテキストはともにアクティブ化される、装置。
【請求項３８】
前記第１のＲＡＴネットワークおよび前記第２のＲＡＴネットワークのうちの少なくとも１つは、ロング・ターム・イボリューション（ＬＴＥ）ネットワークを備える、請求項３７に記載の装置。
【請求項３９】
前記単一のシグナリング・メッセージは、複数のＰＤＮ接続要求を伴うハンドオーバ・アタッチ要求メッセージを備える、請求項３８に記載の装置。
【請求項４０】
各ＰＤＮは個別にアクティブ化される、請求項３９に記載の装置。
【請求項４１】
前記ＰＤＮのうちの少なくとも２つがともにアクティブ化される、請求項３９に記載の装置。
【請求項４２】
前記単一のシグナリング・メッセージはさらに、前記移行の一部として転送されるべきＰＤＮコンテキストの数を示す、請求項３７に記載の装置。
【請求項４３】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項３７に記載の装置。
【請求項４４】
少なくとも第１のラジオ・アクセス技術（ＲＡＴ）ネットワークと第２のＲＡＴネットワークにおいて通信することが可能なデバイスとの無線通信のための装置であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信する手段と、
前記第１のＲＡＴネットワークから前記第２のＲＡＴネットワークへ前記複数のＰＤＮコンテキストを転送するために、前記単一のシグナリング・メッセージを処理する手段と、を備え、ここにおいて、前記新しいＰＤＮコンテキスト及び前記複数のＰＤＮコンテキストの各々は個別にアクティブ化される、装置。
【請求項４５】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項３７に記載の装置。
【請求項４６】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項４５に記載の装置。
【請求項４７】
各ＰＤＮは個別にアクティブ化される、請求項４６に記載の装置。
【請求項４８】
前記ＰＤＮのうちの少なくとも２つがともにアクティブ化される、請求項４６に記載の装置。
【請求項４９】
少なくとも第１のラジオ・アクセス技術（ＲＡＴ）ネットワークと第２のＲＡＴネットワークとにおいて通信することが可能なデバイスによる無線通信のための装置であって、
複数のパケット・データ・ネットワーク（ＰＤＮ）コンテキストとの接続を用いて、前記第１のＲＡＴネットワークにおいて通信し、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信し、ここにおいて、前記新しいＰＤＮコンテキスト及び前記複数のＰＤＮコンテキストの組み合わせである少なくとも２つのＰＤＮコンテキストはともにアクティブ化される
ように構成された少なくとも１つのプロセッサと、
前記少なくとも１つのプロセッサに接続されたメモリと、
を備える装置。
【請求項５０】
前記第１のＲＡＴネットワークと前記第２のＲＡＴネットワークとのうちの少なくとも１つは、ロング・ターム・イボリューション（ＬＴＥ）ネットワークを備える、請求項４９に記載の装置。
【請求項５１】
前記単一のシグナリング・メッセージは、複数のＰＤＮ接続要求を伴うハンドオーバ・アタッチ要求メッセージを備える、請求項５０に記載の装置。
【請求項５２】
各ＰＤＮは個別にアクティブ化される、請求項５１に記載の装置。
【請求項５３】
前記ＰＤＮのうちの少なくとも２つがともにアクティブ化される、請求項５１に記載の装置。
【請求項５４】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項４９に記載の装置。
【請求項５５】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項５４に記載の装置。
【請求項５６】
各ＰＤＮは個別にアクティブ化される、請求項５５に記載の装置。
【請求項５７】
前記ＰＤＮのうちの少なくとも２つがともにアクティブ化される、請求項５５に記載の装置。
【請求項５８】
前記単一のシグナリング・メッセージはさらに、前記移行の一部として転送されるべきＰＤＮコンテキストの数を示す、請求項４９に記載の装置。
【請求項５９】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項４９に記載の装置。
【請求項６０】
少なくとも第１のラジオ・アクセス技術（ＲＡＴ）ネットワークと第２のＲＡＴネットワークとにおいて通信することが可能なデバイスによる無線通信のための装置であって、
複数のパケット・データ・ネットワーク（ＰＤＮ）コンテキストとの接続を用いて、前記第１のＲＡＴネットワークにおいて通信し、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信し、ここにおいて、前記新しいＰＤＮコンテキスト及び前記複数のＰＤＮコンテキストの各々が個別にアクティブ化される、
ように構成された少なくとも１つのプロセッサを備える装置。
【請求項６１】
少なくとも第１のラジオ・アクセス技術（ＲＡＴ）ネットワークと第２のＲＡＴネットワークにおいて通信することが可能なデバイスとの無線通信のための装置であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信し、
前記第１のＲＡＴネットワークから前記第２のＲＡＴネットワークへ前記複数のＰＤＮコンテキストを転送するために、前記単一のシグナリング・メッセージを処理する、ここにおいて、前記新しいＰＤＮコンテキスト及び前記複数のＰＤＮコンテキストの組み合わせである少なくとも２つのＰＤＮコンテキストはともにアクティブ化される、
ように構成された少なくとも１つのプロセッサと、
前記少なくとも１つのプロセッサに接続されたメモリと、
を備える装置。
【請求項６２】
前記第１のＲＡＴネットワークと前記第２のＲＡＴネットワークとのうちの少なくとも１つは、ロング・ターム・イボリューション（ＬＴＥ）ネットワークを備える、請求項６１に記載の装置。
【請求項６３】
前記単一のシグナリング・メッセージは、複数のＰＤＮ接続要求を伴うハンドオーバ・アタッチ要求メッセージを備える、請求項６２に記載の装置。
【請求項６４】
各ＰＤＮは個別にアクティブ化される、請求項６３に記載の装置。
【請求項６５】
前記ＰＤＮのうちの少なくとも２つがともにアクティブ化される、請求項６３に記載の装置。
【請求項６６】
前記単一のシグナリング・メッセージはさらに、前記移行の一部として転送されるべきＰＤＮコンテキストの数を示す、請求項６１に記載の装置。
【請求項６７】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項６１に記載の装置。
【請求項６８】
少なくとも第１のラジオ・アクセス技術（ＲＡＴ）ネットワークと第２のＲＡＴネットワークにおいて通信することが可能なデバイスとの無線通信のための装置であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信し、
前記第１のＲＡＴネットワークから前記第２のＲＡＴネットワークへ前記複数のＰＤＮコンテキストを転送するために、前記単一のシグナリング・メッセージを処理する、ここにおいて、前記新しいＰＤＮコンテキスト及び前記複数のＰＤＮコンテキストの各々は個別にアクティブ化される、
ように構成された少なくとも１つのプロセッサを備える装置。
【請求項６９】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項６１に記載の装置。
【請求項７０】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項６９に記載の装置。
【請求項７１】
各ＰＤＮは個別にアクティブ化される、請求項７０に記載の装置。
【請求項７２】
前記ＰＤＮのうちの少なくとも２つがともにアクティブ化される、請求項７０に記載の装置。
【請求項７３】
少なくとも第１のラジオ・アクセス技術（ＲＡＴ）ネットワークおよび第２のＲＡＴネットワークにおいて通信することが可能なデバイスによる無線通信のためのコンピュータ・プログラムであって、
複数のパケット・データ・ネットワーク（ＰＤＮ）コンテキストとの接続を用いて、第１のＲＡＴネットワークで通信することと、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信することと、ここにおいて、前記新しいＰＤＮコンテキスト及び前記複数のＰＤＮコンテキストの組み合わせである少なくとも２つのＰＤＮコンテキストはともにアクティブ化される、
のために１または複数のプロセッサによって実行可能であるコードを備えるコンピュータ・プログラム。
【請求項７４】
前記第１のＲＡＴネットワークと前記第２のＲＡＴネットワークとのうちの少なくとも１つは、ロング・ターム・イボリューション（ＬＴＥ）ネットワークを備える、請求項７３に記載のコンピュータ・プログラム。
【請求項７５】
前記単一のシグナリング・メッセージは、複数のＰＤＮ接続要求を伴うハンドオーバ・アタッチ要求メッセージを備える、請求項７４に記載のコンピュータ・プログラム。
【請求項７６】
各ＰＤＮは個別にアクティブ化される、請求項７５に記載のコンピュータ・プログラム。
【請求項７７】
前記ＰＤＮのうちの少なくとも２つがともにアクティブ化される、請求項７５に記載のコンピュータ・プログラム。
【請求項７８】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項７３に記載のコンピュータ・プログラム。
【請求項７９】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項７８に記載のコンピュータ・プログラム。
【請求項８０】
各ＰＤＮは個別にアクティブ化される、請求項７９に記載のコンピュータ・プログラム。
【請求項８１】
前記ＰＤＮのうちの少なくとも２つがともにアクティブ化される、請求項７９に記載のコンピュータ・プログラム。
【請求項８２】
前記単一のシグナリング・メッセージはさらに、前記移行の一部として転送されるべきＰＤＮコンテキストの数を示す、請求項７３に記載のコンピュータ・プログラム。
【請求項８３】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項７３に記載のコンピュータ・プログラム。
【請求項８４】
少なくとも第１のラジオ・アクセス技術（ＲＡＴ）ネットワークおよび第２のＲＡＴネットワークにおいて通信することが可能なデバイスによる無線通信のためのコンピュータ・プログラムであって、
複数のパケット・データ・ネットワーク（ＰＤＮ）コンテキストとの接続を用いて、第１のＲＡＴネットワークで通信することと、
前記第２のＲＡＴネットワークへの移行の一部として、前記複数のＰＤＮコンテキストのうちの少なくとも２つを示し、新しいＰＤＮコンテキストが前記移行の一部としてアクティブ化されることを示している単一のシグナリング・メッセージを送信することと、ここにおいて、前記新しいＰＤＮコンテキスト及び前記複数のＰＤＮコンテキストの各々は個別にアクティブ化される、
のために１または複数のプロセッサによって実行可能であるコードを備えるコンピュータ・プログラム。
【請求項８５】
少なくとも第１のラジオ・アクセス技術（ＲＡＴ）ネットワークおよび第２のＲＡＴネットワークにおいて通信することが可能なデバイスによる無線通信のためのコンピュータ・プログラムであって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信することと、
前記第１のＲＡＴネットワークから前記第２のＲＡＴネットワークへ前記複数のＰＤＮコンテキストを転送するために、前記単一のシグナリング・メッセージを処理することと、ここにおいて、前記新しいＰＤＮコンテキスト及び前記複数のＰＤＮコンテキストの組み合わせである少なくとも２つのＰＤＮコンテキストはともにアクティブ化される、のために１または複数のプロセッサによって実行可能であるコードを備える、コンピュータ・プログラム。
【請求項８６】
前記第１のＲＡＴネットワークおよび前記第２のＲＡＴネットワークのうちの少なくとも１つは、ロング・ターム・イボリューション（ＬＴＥ）ネットワークを備える、請求項８５に記載のコンピュータ・プログラム。
【請求項８７】
前記単一のシグナリング・メッセージは、複数のＰＤＮ接続要求を伴うハンドオーバ・アタッチ要求メッセージを備える、請求項８６に記載のコンピュータ・プログラム。
【請求項８８】
各ＰＤＮは個別にアクティブ化される、請求項８７に記載のコンピュータ・プログラム。
【請求項８９】
前記ＰＤＮのうちの少なくとも２つがともにアクティブ化される、請求項８７に記載のコンピュータ・プログラム。
【請求項９０】
前記単一のシグナリング・メッセージはさらに、前記移行の一部として転送されるべきＰＤＮコンテキストの数を示す、請求項８５に記載のコンピュータ・プログラム。
【請求項９１】
前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、請求項８５に記載のコンピュータ・プログラム。
【請求項９２】
少なくとも第１のラジオ・アクセス技術（ＲＡＴ）ネットワークおよび第２のＲＡＴネットワークにおいて通信することが可能なデバイスによる無線通信のためのコンピュータ・プログラムであって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示し、新しいＰＤＮコンテキストが前記移行の一部としてアクティブ化されることを示している単一のシグナリング・メッセージを、前記デバイスから受信することと、
前記第１のＲＡＴネットワークから前記第２のＲＡＴネットワークへ前記複数のＰＤＮコンテキストを転送するために、前記単一のシグナリング・メッセージを処理することと、ここにおいて、前記新しいＰＤＮコンテキスト及び前記複数のＰＤＮコンテキストの各々は個別にアクティブ化される、のために１または複数のプロセッサによって実行可能であるコードを備える、コンピュータ・プログラム。
【請求項９３】
前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、請求項８５に記載のコンピュータ・プログラム。
【請求項９４】
前記単一のシグナリング・メッセージは、複数のＰＤＮコンテキストを示すベンダ特有ネットワーク制御プロトコル（ＶＳＮＣＰ）コンフィギュレーション要求メッセージを備える、請求項９３に記載のコンピュータ・プログラム。
【請求項９５】
各ＰＤＮは個別にアクティブ化される、請求項９４に記載のコンピュータ・プログラム。
【請求項９６】
前記ＰＤＮのうちの少なくとも２つがともにアクティブ化される、請求項９４に記載のコンピュータ・プログラム。
【発明の詳細な説明】
【関連出願に対する相互参照】
【０００１】
本願は、本明細書において参照によってその全体が明確に組み込まれている２０１１年２月２４日出願の米国仮特許出願６１／４４６，４４５号に対する優先権を主張する。
【技術分野】
【０００２】
本開示のある態様は一般に、無線通信に関し、さらに詳しくは、ラジオ間アクセス技術（ＩＲＡＴ）ハンドオフ中に複数のパケット・データ・ネットワーク（ＰＤＮ）コンテキスト転送を実行するために要される時間を低減することに関する。
【背景技術】
【０００３】
無線通信システムは、例えば、音声、データ等のようなさまざまなタイプの通信コンテンツを提供するために広く開発されてきた。これらのシステムは、（例えば、帯域幅および送信電力等のような）利用可能なシステム・リソースを共有することにより、複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、および直交周波数分割多元接続（ＯＦＤＭＡ）システムを含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。順方向通信リンクおよび逆方向通信リンクは、単一入力単一出力システム、複数入力単一出力システム、あるいは複数入力複数出力（ＭＩＭＯ）システムによって確立されうる。
【０００５】
無線多元通信システムは、時分割デュプレクス（ＴＤＤ）システムおよび周波数デュプレクス（ＦＤＤ）システムをサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００６】
３ＧＰＰ  ＬＴＥは、セルラ技術における主要な進歩を呈しており、グローバル移動体通信システム（ＧＳＭ（登録商標））およびユニバーサル・モバイル・テレコミュニケーション・システム（ＵＭＴＳ）の自然発展形として、セルラ第３世代（３Ｇ）サービスにおいて先行する次のステップである。ＬＴＥは、最大で毎秒７５メガビット（Ｍｂｐｓ）のアップリンク速度と、最大で３００Ｍｂｐｓのダウンリンク速度とを提供し、セルラ・ネットワークに対して多くの技術的な利点をもたらす。ＬＴＥは、高速なデータおよびメディア伝送のみならず、高いキャパシティの音声サポートに対するキャリア・ニーズを満足するように設計されている。帯域幅は、１．２５ＭＨｚから２０ＭＨｚまでスケール可能でありうる。これは、異なる帯域幅割当を有する異なるネットワーク・オペレータの要件に適合し、これによって、オペレータは、スペクトルに基づいて異なるサービスを提供することが可能となる。ＬＴＥはまた、３Ｇネットワークにおけるスペクトル効率を高め、もって、キャリアが、与えられた帯域幅で、より多くのデータ・サービスおよび音声サービスを提供することを可能にすることが期待されている。
【０００７】
ＬＴＥ規格の物理レイヤ（ＰＨＹ）は、エンハンスト基地局（ｅノードＢ）とモバイル・ユーザ機器（ＵＥ）との間でデータおよび制御情報の両方を伝送する非常に効率的な手段である。ＬＴＥ  ＰＨＹは、セルラ・アプリケーションに、新しい、先進技術を適用する。これらは、直交周波数分割多重（ＯＦＤＭ）および複数入力複数出力（ＭＩＭＯ）データ送信を含んでいる。さらに、ＬＴＥ  ＰＨＹは、ダウンリンクにおいてＯＦＤＭＡを用い、アップリンクにおいてシングル・キャリア−周波数分割多元接続（ＳＣ−ＦＤＭＡ）を用いる。ＯＦＤＭＡによって、データは、指定された数のシンボル期間にわたって、サブキャリア毎ベースで、複数のユーザとの間で送られるようになる。
【発明の概要】
【０００８】
本開示のある態様は、少なくとも第１のラジオ・アクセス技術（ＲＡＴ）ネットワークおよび第２のＲＡＴネットワークにおいて通信することができるデバイスによる無線通信のための方法を提供する。この方法は一般に、複数のパケット・データ・ネットワーク（ＰＤＮ）コンテキストとの接続を用いて、そして、第２のＲＡＴネットワークへの移行の一部として、第１のＲＡＴネットワークで通信することと、複数のＰＤＮコンテキストのうちの少なくとも２つを示す単一のシグナリング・メッセージを送信すること、を含む。
【０００９】
本開示のある態様は、少なくとも第１のラジオ・アクセス技術（ＲＡＴ）ネットワークおよび第２のＲＡＴネットワークにおいて通信することができるデバイスとの無線通信のための方法を提供する。この方法は一般に、デバイスが第１のＲＡＴネットワークで通信していた複数のＰＤＮコンテキストを示す単一のシグナリング・メッセージを、このデバイスの第１のＲＡＴネットワークから第２のＲＡＴネットワークへの移行の一部として、このデバイスから受信することと、第１のＲＡＴネットワークから第２のＲＡＴネットワークへ複数のＰＤＮコンテキストを転送するために、この単一のシグナリング・メッセージを処理することと、を含む。
【００１０】
本開示のある態様は、少なくとも第１のラジオ・アクセス技術（ＲＡＴ）ネットワークおよび第２のＲＡＴネットワークにおいて通信することができる無線通信のための装置を提供する。この装置は一般に、複数のパケット・データ・ネットワーク（ＰＤＮ）コンテキストとの接続を用いて、第１のＲＡＴネットワークで通信する手段と、複数のＰＤＮコンテキストのうちの少なくとも２つを示す単一のシグナリング・メッセージを、第２のＲＡＴネットワークへの移行の一部として送信する手段と、を含む。
【００１１】
本開示のある態様は、少なくとも第１のラジオ・アクセス技術（ＲＡＴ）ネットワークおよび第２のＲＡＴネットワークにおいて通信することが可能なデバイスとの無線通信のための装置を提供する。この装置は一般に、デバイスが第１のＲＡＴネットワークで通信していた複数のＰＤＮコンテキストを示す単一のシグナリング・メッセージを、このデバイスの第１のＲＡＴネットワークから第２のＲＡＴネットワークへの移行の一部として、このデバイスから受信する手段と、第１のＲＡＴネットワークから第２のＲＡＴネットワークへ複数のＰＤＮコンテキストを転送するために、この単一のシグナリング・メッセージを処理する手段と、を含む。
【００１２】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、複数のパケット・データ・ネットワーク（ＰＤＮ）コンテキストとの接続を用いて、第１のＲＡＴネットワークで通信し、第２のＲＡＴネットワークへの移行の一部として、複数のＰＤＮコンテキストのうちの少なくとも２つを示す単一のシグナリング・メッセージを送信する、ように構成される。
【００１３】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、デバイスが第１のＲＡＴネットワークで通信していた複数のＰＤＮコンテキストを示す単一のシグナリング・メッセージを、このデバイスの第１のＲＡＴネットワークから第２のＲＡＴネットワークへの移行の一部として、このデバイスから受信し、第１のＲＡＴネットワークから第２のＲＡＴネットワークへ複数のＰＤＮコンテキストを転送するために、この単一のシグナリング・メッセージを処理する、ように構成される。
【００１４】
本開示のある態様は、少なくとも第１のラジオ・アクセス技術（ＲＡＴ）ネットワークおよび第２のＲＡＴネットワークにおいて通信することが可能なデバイスによる無線通信のためのコンピュータ・プログラム製品を提供する。このコンピュータ・プログラム製品は、一般に、格納されたコードを有する非一時的なコンピュータ読取可能な媒体を含む。このコードは一般に、複数のパケット・データ・ネットワーク（ＰＤＮ）コンテキストとの接続を用いて、第１のＲＡＴネットワークで通信することと、第２のＲＡＴネットワークへの移行の一部として、複数のＰＤＮコンテキストのうちの少なくとも２つを示す単一のシグナリング・メッセージを送信することと、のために、１または複数のプロセッサによって実行可能である。
【００１５】
本開示のある態様は、少なくとも第１のラジオ・アクセス技術（ＲＡＴ）ネットワークおよび第２のＲＡＴネットワークと通信することが可能なデバイスとの無線通信のためのコンピュータ・プログラム製品を提供する。このコンピュータ・プログラム製品は、一般に、格納されたコードを有する非一時的なコンピュータ読取可能な媒体を含む。このコードは一般に、デバイスが第１のＲＡＴネットワークで通信していた複数のＰＤＮコンテキストを示す単一のシグナリング・メッセージを、このデバイスの第１のＲＡＴネットワークから第２のＲＡＴネットワークへの移行の一部として、このデバイスから受信することと、第１のＲＡＴネットワークから第２のＲＡＴネットワークへ複数のＰＤＮコンテキストを転送するために、この単一のシグナリング・メッセージを処理することと、のために、１または複数のプロセッサによって実行可能である。
【図面の簡単な説明】
【００１６】
本開示の前述した特徴が、より詳細に理解される方式で簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示していることや、本開示の範囲を限定するものとしては考慮されないことが注目されるべきである。
【図１】図１は、本開示のある態様にしたがう多元接続無線通信システムの例を例示する。
【図２】図２は、本開示の態様にしたがうアクセス・ポイントおよびユーザ端末のブロック図を例示する。
【図３】図３は、本開示のある態様にしたがう無線デバイスの例のブロック図を例示する。
【図４】図４は、本開示のある態様にしたがうネットワーク・アーキテクチャの例を例示する。
【図５】図５は、ＬＴＥネットワークからｅＨＲＰＤネットワークへのハンドオーバ中に複数のＰＤＮコンテキストを転送する例を例示する。
【図６】図６は、ｅＨＲＰＤネットワークからＬＴＥネットワークへのハンドオーバ中に複数のＰＤＮコンテキストを転送する例を例示する。
【図７】図７は、本開示の態様にしたがって、例えば、第１のＲＡＴから第２のＲＡＴへ移行する場合にモバイル・デバイスによって実行される動作を例示する。
【図８】図８は、本開示の態様にしたがって、例えば、モバイル・デバイスが第１のＲＡＴから第２のＲＡＴへ移行する場合にネットワークによって実行される動作を例示する。
【図９】図９は、本開示の態様にしたがって、モバイル・デバイスがＬＴＥネットワークからｅＨＲＰＤネットワークへハンドオーバする場合におけるＩＲＡＴ改善の例を例示する。
【図１０】図１０は、本開示の態様にしたがって、モバイル・デバイスがｅＨＲＰＤネットワークからＬＴＥネットワークへのハンドオーバを実行する場合におけるＩＲＡＴ改善の例を例示する。
【図１１】図１１は、本開示の態様にしたがって、モバイル・デバイスがｅＨＲＰＤネットワークからＬＴＥネットワークへ移動する場合におけるＩＲＡＴ改善の例を例示する。
【図１２】図１２は、本開示のある態様にしたがって、モバイル・デバイスがｅＨＲＰＤネットワークからＬＴＥネットワークへ移動する場合におけるＩＲＡＴ改善の例を例示する。
【発明を実施するための形態】
【００１７】
本開示の態様は一般に、マルチ・モード・モバイル・デバイスが、あるＲＡＴネットワークから別のＲＡＴネットワークへ移動した場合に、複数のＰＤＮコンテキスト転送を実行するために要する時間を最小化することに関する。以下により詳細に説明されるように、モバイル・デバイスは、第１のＲＡＴネットワークから第２のＲＡＴネットワークへの移行の一部として、第２のＲＡＴへ転送されることが必要でありうる複数のＰＤＮコンテキストを示す単一のシグナリング・メッセージを送信しうる。
【００１８】
態様によれば、第２のＲＡＴネットワークは、デバイスが第１のＲＡＴネットワークで通信していた複数のＰＤＮコンテキストを示す単一のシグナリング・メッセージを、このデバイスの第２のＲＡＴネットワークへの移行の一部として、このデバイスから受信しうる。第２のネットワークは、第１のＲＡＴネットワークから第２のＲＡＴネットワークへ複数のＰＤＮコンテキストを転送するために、この単一のシグナリング・メッセージを処理しうる。以下により詳細に説明されるように、ネットワークは、複数のＰＤＮコンテキストを、並行して、または、一度に１つ、転送しうる。各コンテキストのために、個別のシグナリング・メッセージではなく、単一のシグナリング・メッセージを適用することは、コール・セットアップ時間を低減しうる。
【００１９】
本開示のさまざまな態様は、添付図面を参照して以下により十分に記載される。しかしながら、本開示は、異なる多くの形態で具体化され、本開示を通じて示された如何なる具体的な構成または機能にも限定されるとは解釈されるべきではない。むしろ、これらの態様は、本開示が十分で完全であり、本開示の範囲を当業者に十分に伝達できるように提供されている。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実現され、方法が実施されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００２０】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００２１】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２２】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ＣＤＭＡ２０００は、「第３世代パートナシップ計画２」（３ＧＰＰ２）と命名された団体からの文書に記載されている。ＣＤＭＡ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００２３】
アクセス・ポイント（“ＡＰ”）は、ノードＢ、ラジオ・ネットワーク・コントローラ（“ＲＮＣ”）、ｅノードＢ（“ｅＮＢ”）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００２４】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器（“ＵＥ”）、ユーザ局、またはその他いくつかの用語として知られているか、または、実現されうるか、または、備えうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００２５】
図１に示すように、本開示の１つの態様にしたがう多元接続無線通信システムが例示される。アクセス・ポイント１００（ＡＰ）は、１つのグループはアンテナ１０４，１０６を含み、別のグループはアンテナ１０８，１１０を含み、さらに別のグループはアンテナ１１２，１１４を含む複数のアンテナ・グループを含みうる。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２，１１４と通信している。ここで、アンテナ１１２，１１４は、順方向リンク１２０でアクセス端末１１６へ情報を送信し、逆方向リンク１１８でアクセス端末１１６から情報を受信する。アクセス端末１２２（ＡＴ）はアンテナ１０６，１０８と通信している。ここで、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００２６】
通信するように設計された領域および／またはアンテナのおのおののグループはしばしば、アクセス・ポイントのセクタと称される。本開示の１つの態様では、おのおののアンテナ・グループは、アクセス・ポイント１００によってカバーされる領域のセクタ内のアクセス端末へ通信するように設計される。
【００２７】
順方向リンク１２０，１２６による通信では、アクセス・ポイント１００の送信アンテナは、別のアクセス端末１１６，１２４のための順方向リンクの信号対雑音比を改善するために、ビームフォーミングを利用することができる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２８】
図２は、複数入力複数出力（ＭＩＭＯ）システム２００における（アクセス・ポイントとしても知られている）送信機システム２１０および（アクセス端末としても知られている）受信機システム２５０の態様のブロック図である。送信機システム２１０では、多くのデータ・ストリームのトラフィック・データが、データ・ソース２１２から送信（ＴＸ）データ・プロセッサ２１４に提供される。
【００２９】
本開示の１つの態様では、データ・ストリームはおのおのの、それぞれの送信アンテナを介して送信されうる。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３０】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３１】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。本開示のある態様では、ＴＸ  ＭＩＭＯプロセッサ２２０は、データ・ストリームのシンボル、および、そのシンボルが送信されるアンテナへ、ビームフォーミング重みを適用する。
【００３２】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３３】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供されうる。受信機２５４はおのおの、それぞれの受信信号を調整（例えば、フィルタ、増幅、および、ダウンコンバート）し、調整された信号をデジタル化して、サンプルを得る。さらに、これらサンプルを処理して、対応する「受信」シンボル・ストリームを提供する。
【００３４】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３５】
プロセッサ２７０は、前述したように、利用可能などの技術を利用するのかを定期的に決定する。さらに、プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３６】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定するために、この抽出されたメッセージを処理する。
【００３７】
図３は、図１の無線通信システム内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、図１からのアクセス・ポイント１００でありうるか、または、アクセス端末１１６，１２２のうちの何れかでありうる。
【００３８】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３９】
無線デバイス３０２は、無線デバイス３０２と遠隔位置との間でのデータの送信および受信を可能にする送信機３１０および受信機３１２を含みうるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００４０】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４１】
無線デバイス３０２のさまざまな構成要素を、データ・バスに加えて電力バス、制御信号バス、およびステータス信号バスを含むことができるバス・システム３２２によってともに結合することができる。
【００４２】
図４は、本開示の態様にしたがう、ネットワーク・アーキテクチャ４００の例を例示する。図１のＵＥ１１６および／またはＵＥ１２２のようなマルチ・モード・ユーザ機器４０２は、１または複数のＲＡＴと通信しうる。ＵＥ４０２は、ロング・ターム・イボリューション（ＬＴＥ）ネットワークおよびエンハンスト高レート・パケット・データ（ｅＨＲＰＤ）ネットワークと通信しうる。ＵＥ４０２は、例えばＬＴＥ  ｅＮＢ４０４およびｅＨＲＰＤラジオ・アクセス・ネットワーク（ＲＡＮ）４０６と通信しうる。
【００４３】
ＬＴＥ  ｅＮＢ４０４およびｅＨＲＰＤ  ＲＡＮ４０６は、インターネット・プロトコル（ＩＰ）サービスのために、ＥＰＣ（３ＧＰＰ）コア・ネットワークを使用しうる。モビリティ管理エンティティ（ＭＭＥ）４０８およびＨＲＰＤサービス提供ゲートウェイ（ＨＳＧＷ）４１０は、パケット・データ・ネットワーク（ＰＤＮ）ゲートウェイ４１２と通信しうる。ＬＴＥのためのＭＭＥ４０８と、ｅＨＲＰＤのためのＨＳＧＷ４１０とは、ＰＤＮゲートウェイ４１２からＩＰアドレスを受信した後、ＩＰアドレスをＵＥ４０２へ割り当てうる。ＭＭＥ４０８、ＨＳＧＷ４１０、およびＰＤＮゲートウェイ４１２は、イボルブド・パケット・コア（ＥＰＣ）の一部と考えられうる。
【００４４】
（ＩＲＡＴ改善）  
マルチ・モード・モバイル・デバイスは、ＲＡＴ間（ＩＲＡＴ）シナリオ中に、複数のパケット・データ・ネットワーク（ＰＤＮ）コンテキスト転送を実行しうる。
【００４５】
従来、複数のＰＤＮコンテキストを転送するためのシングル・ショット・シグナリング技術は利用可能ではなかった。例えば、図５−６を参照して記載されるように、ＬＴＥ技術およびイボルブド高レート・パケット・データ（ｅＨＲＰＤ）技術をサポートすることが可能なモバイル・デバイスは、ＲＡＴ間シナリオ中に、複数のＰＤＮコンテキスト転送を実行しうる。これは、ＰＤＮコンテキスト転送における遅れをもたらし、ユーザ体験を低下させうる。
【００４６】
図５は、ＬＴＥネットワーク５０２からｅＨＲＰＤネットワーク５０４へのハンドオーバ中に、複数のＰＤＮコンテキストを転送する例５００を例示する。例示されるように、マルチ・モード・モバイル・デバイスは、ＬＴＥネットワーク５０２において通信し、多くのＰＤＮコンテキストとの接続を有しうる。モバイル・デバイスは、例えば、ＩＰマルチメディア・サブシステム（ＩＭＳ）ＰＤＮ、インターネットＰＤＮ、および／または、管理ＰＤＮ（例えば、プロビジョニングＰＤＮ）に接続されうる。
【００４７】
５０８において、モバイル・デバイスは、ＬＴＥネットワーク５０２からｅＨＲＰＤネットワーク５０４へのハンドオーバを実行しうる。現在、モバイル・デバイスは、ＬＴＥからｅＨＲＰＤへ各ＰＤＮコンテキストを転送するために、ポイント・トゥ・ポイント・プロトコル・ベンダ特有ネットワーク制御プロトコル（ＰＰＰ／ＶＳＮＣＰ）シグナリング・メッセージを交換する必要がありうる。さらに詳しくは、モバイル・デバイスは、ＬＴＥネットワーク５０２で確立された各ＰＤＮコンテキストのために、個別のＶＳＮＣＰコンフィギュレーション要求メッセージを、ＨＲＰＤサービス提供ゲートウェイ（ＨＳＧＷ）５０６へ送信しうる。複数のＰＰＰ／ＶＳＮＣＰシグナリング・メッセージを送信することは、ＰＤＮコンテキスト転送における遅れに至りうる。ＨＳＧＷ５０６は、各ＰＤＮコンテキストが、ｅＨＲＰＤネットワーク５０４においてセットアップされる前に、各ＰＤＮコンテキストのためのコンフィギュレーション・アクノレッジメント・メッセージを送信しうる。
【００４８】
図６は、ｅＨＲＰＤネットワーク６０２からＬＴＥネットワーク６０４へのハンドオーバ中に、複数のＰＤＮコンテキストを転送する例６００を例示する。例示されるように、マルチ・モード・モバイル・デバイスは、複数のＰＤＮコンテキストとの接続を用いてｅＨＲＰＤネットワーク６０２において通信しうる。例えば、モバイル・デバイスは、ＩＭＳ  ＰＤＮ、インターネットＰＤＮ、および／または、管理ＰＤＮに接続されうる。
【００４９】
６０８において、モバイル・デバイスは、ｅＨＲＰＤネットワーク６０２からＬＴＥネットワーク６０４へハンドオーバしうる。図５に例示されたシナリオと同様に、モバイル・デバイスは、複数のＰＤＮコンテキストを転送するために、複数のシグナリング・メッセージを交換する必要がありうる。
【００５０】
ＬＴＥネットワーク６０４に接続されている間、モバイル・デバイスは、ｅＨＲＰＤ６０２ネットワークからＰＤＮコンテキストを転送するために、モビリティ管理エンティティ／ＰＤＮゲートウェイ（ＭＭＥ／ＰＧＷ）６０６へいくつかのネットワーク・アクセス階層（ＮＡＳ）シグナリング・メッセージを送信しうる。図６に図示された特定のシグナリング・メッセージは、複数のＰＤＮコンテキストを転送するためにモバイル・デバイスとＭＭＥ／ＰＧＷ６０６との間で交換されるメッセージのセットの例を例示する。
【００５１】
モバイル・デバイスは、他のＰＤＮコンテキストが転送されうる前に、アタッチ要求が完了するまで待つ必要がありうる。これは、例えば、他のＰＤＮコンテキストがインターネット・アクセス・ポイント名（ＡＰＮ）に属する場合、ユーザ経験を低下させうる。例えばＬＴＥラジオ条件によって、アタッチＰＤＮセットアップ完了中に遅れがある場合、インターネットＡＰＮ、および、その他のＡＰＮのためのセットアップが、さらに遅れうるか、切断されうる。モバイル・デバイスは、第１に、どのアプリケーションがサービスを必要とし、それにしたがって、第２に、その後のどのＰＤＮがアクティブ化され、第３に、第４に等といった具合に基づいて、優先コールを行う必要がありうる。
【００５２】
したがって、本開示の態様は、ＩＲＡＴシナリオ中に複数のＰＤＮコンテキスト転送を実行するために要される時間を低減および／または最小化するための技術を開示する。以下により詳細に示されるように、複数のＰＤＮコンテキスト転送要求をバンドルするために、シングル・ショット・シグナリングが使用されうる。ネットワークは、シングル・ショット・シグナリング・メッセージを受信し、複数のＰＤＮコンテキストを転送しうる。シングル・ショット・シグナリング・メッセージは、移行の一部として転送されるべきＰＤＮコンテキストの数を示しうる。
【００５３】
図７は、本開示の態様にしたがって、少なくとも第１のＲＡＴネットワークおよび第２のＲＡＴネットワークにおいて通信することが可能なモバイル・デバイスによって実行されうる動作７００の例を例示する。動作７００は、例えば図４のＵＥ４０２のようなマルチ・モード・モバイル・デバイスによって実行されうる。
【００５４】
７０２において、モバイル・デバイスは、複数のパケット・データ・ネットワーク（ＰＤＮ）コンテキストとの接続を用いて、第１のＲＡＴネットワークにおいて通信しうる。第２のＲＡＴネットワークへの移行の一部として、７０４において、モバイル・デバイスは、複数のＰＤＮコンテキストのうちの少なくとも２つを示す単一のシグナリング・メッセージを送信しうる。
【００５５】
図８は、本開示の態様にしたがって、ＲＡＴネットワークによって実行されうる動作８００の例を例示する。動作８００は、例えば、図４のＨＳＧＷ４１０またはＭＭＥ４０８によって実行されうる。
【００５６】
８０２において、ネットワークは、第１のＲＡＴネットワークから第２のＲＡＴネットワークへのデバイスの移行の一部として、デバイスが第１のＲＡＴネットワークにおいて通信していた複数のＰＤＮコンテキストを示す単一のシグナリング・メッセージをデバイスから受信しうる。８０４において、ネットワークは、第１のＲＡＴネットワークから第２のＲＡＴネットワークへ複数のＰＤＮコンテキストを転送するために単一のシグナリング・メッセージを処理しうる。
【００５７】
図９は、本開示の態様にしたがって、モバイル・デバイスがＬＴＥネットワーク９０２からｅＨＲＰＤネットワーク９０４へのハンドオーバを実行した場合におけるＩＲＡＴ改善の例９００を例示する。モバイル・デバイスは、ＬＴＥネットワーク９０２において、ＩＭＳ  ＰＤＮ、インターネットＰＤＮ、および／または、管理ＰＤＮを含む複数のＰＤＮコンテキストを用いて通信しうる。
【００５８】
９０８において、モバイル・デバイスは、ＬＴＥネットワーク９０２からｅＨＲＰＤネットワーク９０４へハンドオーバしうる。ＩＲＡＴ改善（例えば、最適化）を容易にするために、モバイル・デバイスは、単一のベンダ特有ネットワーク制御プロトコル（ＶＳＮＣＰ）コンフィギュレーション要求メッセージ９１０を送信しうる。このメッセージは、ｅＨＲＤＰネットワーク９０４へ転送されうる２またはそれ以上のＰＤＮコンテキストを示しうる。したがって、モバイル・デバイスは、複数のＰＤＮ接続要求を伴うハンドオーバ・アタッチ要求メッセージを含む単一のシグナリング・メッセージを送信しうる。図９に例示されるように、モバイル・デバイスは、ＩＭＳ  ＰＤＮコンテキスト、インターネットＰＤＮコンテキスト、および管理ＰＤＮコンテキストの転送を示す単一のＶＳＮＣＰシグナリング・メッセージをｅＨＲＰＤネットワークへ送信しうる。
【００５９】
ＨＳＧＷ９０６は、複数のＰＤＮ接続要求を伴うハンドオーバ・アタッチ要求メッセージを含む単一のシグナリング・メッセージを受信しうる。態様によれば、単一のシグナリング・メッセージは、ＬＴＥネットワーク９０２からｅＨＲＰＤネットワーク９０４へと転送されるべき多くのＰＤＮコンテキストの数を示すパラメータを含みうる。
【００６０】
９１２において、ＨＳＧＷ９０６は、複数のＰＤＮコンテキストを転送するために、ＶＳＮＣＰコンフィギュレーション・アクノレッジメントを送信しうる。態様によれば、ＰＤＮのうちの少なくとも２つが、ともにアクティブ化されうる。図９に例示されるように、ＩＭＳ  ＰＤＮ、インターネットＰＤＮ、および管理ＰＤＮがともに（例えば、並行して）アクティブ化されうる。
【００６１】
図１０は、本開示の態様にしたがって、モバイル・デバイスがｅＨＲＰＤネットワーク１００２からＬＴＥネットワーク１００４へのハンドオーバを実行する場合におけるＩＲＡＴ改善の例１０００を例示する。モバイル・デバイスは、ｅＨＲＰＤネットワーク１００２において、例えば、ＩＭＳ  ＰＤＮ、インターネットＰＤＮ、および管理ＰＤＮを含む複数のＰＤＮコンテキストを伴い通信している。
【００６２】
１００８において、モバイル・デバイスは、ｅＨＲＰＤネットワーク１００２からＬＴＥネットワーク１００４へハンドオーバしうる。ＩＲＡＴ改善を容易にするために、モバイル・デバイスは、ＩＭＳ  ＰＤＮコンテキスト、インターネットＰＤＮコンテキスト、および管理ＰＤＮコンテキストを、ＬＴＥネットワーク１００４へ転送しうる。態様によれば、モバイル・デバイスは、ＭＭＥ／ＰＧＷ１００６へ、単一のＮＡＳシグナリング・メッセージを送信しうる。
【００６３】
この単一のシグナリング・メッセージは、ハンドオーバ・アタッチ要求、ＬＴＥネットワーク１００４へ転送されることを試みているＰＤＮコンテキストの数を示すパラメータ、および／または、各ＰＤＮコンテキストのための転送に特有のパラメータ、を含みうる。ＭＭＥ／ＰＧＷ１００６は、単一のシグナリング・メッセージを受信し、複数のＰＤＮをともにアクティブ化しうる。例えば、ＩＭＳ  ＰＤＮ、インターネットＰＤＮ、および管理ＰＤＮは、並行してアクティブ化されうる。
【００６４】
図１１は、本開示の態様にしたがって、モバイル・デバイスがｅＨＲＰＤネットワーク１１０２からＬＴＥネットワーク１１０４へ移動する場合におけるＩＲＡＴ改善の例１１００を例示する。モバイル・デバイスは、ｅＨＲＰＤネットワーク１１０２において、例えばＩＭＳ  ＰＤＮ、インターネットＰＤＮ、および管理ＰＤＮを含む複数のＰＤＮコンテキストを伴い通信している。１１０８において、モバイル・デバイスは、ｅＨＲＰＤネットワーク１１０２からＬＴＥネットワーク１１０４へハンドオーバしうる。
【００６５】
ＭＭＥ／ＰＧＷ１１０６は、モバイル・デバイスから、単一のハンドオーバ・アタッチ要求メッセージを受信しうる。図１０に関して前述したように、ハンドオーバ・アタッチ要求メッセージは、１より多くのＰＤＮコンテキスト転送のための接続要求を含みうる。
【００６６】
態様によれば、ＭＭＥ／ＰＧＷ１１０６は、単一のシグナリング・メッセージを受信し、各ＰＤＮを個別にアクティブ化しうる。各ＰＤＮコンテキストを個別にアクティブ化することは、例えば、転送された複数のＰＤＮコンテキストをネットワークが同時に（例えば、並行して）アクティブ化することができない状況において、ネットワークに柔軟性を与えうる。これらの場合、単一のハンドオーバ・アタッチ要求メッセージを受信した後、ＭＭＥ／ＰＧＷ１１０６は、転送されたＰＤＮコンテキストを個別にアクティブ化しうる。例示されるように、ＩＭＳ  ＰＤＮコンテキストが最初に転送され、次に、インターネットＰＤＮコンテキストおよび管理ＰＤＮコンテキストが転送されうる。
【００６７】
図１２は、本開示の態様にしたがって、モバイル・デバイスがｅＨＲＰＤネットワーク１２０２からＬＴＥネットワーク１２０４へ移動する場合におけるＩＲＡＴ改善の例１２００を例示する。モバイル・デバイスは、インターネットＰＤＮおよび管理ＰＤＮとの接続を伴って、ｅＨＲＰＤネットワーク１２０２において通信しうる。１２０８において、モバイル・デバイスは、ｅＨＲＰＤネットワーク１２０２からＬＴＥネットワーク１２０４へハンドオーバしうる。このハンドオーバの一部として、モバイル・デバイスは、転送されるべき少なくとも２つのＰＤＮコンテキストを示す単一のシグナリング・メッセージを送信しうる。態様によれば、単一のシグナリング・メッセージはさらに、移行の一部として、新たなＰＤＮコンテキストがアクティブ化されるべきであることを示しうる。
【００６８】
例えば、モバイル・デバイスは、アクティブなインターネットＰＤＮコンテキストおよび管理ＰＤＮコンテキストを転送することを試み、新たなＩＭＳ  ＰＤＮコンテキストをセットアップしうる。新たなＰＤＮコンテキスト（例えば、ＩＭＳ  ＰＤＮ）および複数のＰＤＮコンテキストのおのおのが、ともにアクティブ化されうる。態様によれば、確立されるべき新たなＰＤＮコンテキストと、すでに確立されている複数のＰＤＮコンテキストとを含むＰＤＮコンテキストのうちの少なくとも２つが、ともにアクティブ化されうる。
【００６９】
図１２に例示されるように、モバイル・デバイスは、初期アタッチ要求メッセージをＭＭＥ／ＰＧＷ１２０６へ送信しうる。態様によれば、初期アタッチ要求メッセージは、モバイル・デバイスがｅＨＲＤＰネットワーク１２０２において確立していない、ＰＤＮコンテキストに対する接続要求を含みうる。例えば、初期アタッチ要求メッセージは、新たなＩＭＳ  ＰＤＮコンテキストをセットアップするためのＰＤＮ接続要求を含みうる。ＬＴＥネットワーク１２０４において新たなＩＭＳ  ＰＤＮコンテキストをセットアップするために示されるシグナリング・メッセージは、シグナリング・メッセージのセットの例を例示している。態様によれば、ＬＴＥネットワーク１２０４においてコンテキストをセットアップしている間、より少ないシグナリング・メッセージしか交換されない。
【００７０】
態様によれば、ＩＭＳ  ＰＤＮコンテキストが確立された後、モバイル・デバイスは、複数のＰＤＮ接続要求を伴うハンドオーバ・アタッチ要求メッセージを含む単一のシグナリング・メッセージを送信しうる。単一のシグナリング・メッセージは、ＬＴＥネットワーク１２０４に転送されることを試みているＰＤＮコンテキストの数を示すカウント・パラメータを含みうる。ハンドオーバ・アタッチ・メッセージは、インターネットＰＤＮおよび管理ＰＤＮのためのＰＤＮ接続要求を含みうる。ＭＭＥ１２０６は、インターネットＰＤＮコンテキストと管理ＰＤＮコンテキストとを並行してアクティブ化しうる。
【００７１】
本明細書に記載されているように、モバイル・デバイスは、複数のＰＤＮコンテキストとともに確立された接続を用いて、第１のＲＡＴネットワークにおいて通信しうる。第２のＲＡＴネットワークへの移行の一部として、モバイル・デバイスは、転送されるべきＰＤＮコンテキストのうちの少なくとも２つを示す単一のシグナリング・メッセージを送信しうる。ある態様では、シグナリング・メッセージは、転送されるべきＩＭＳ  ＰＤＮコンテキストを示すために適用されうる。その後、単一のシグナリング・メッセージは、転送されるべき少なくとも２つのその他のＰＤＮコンテキスト（例えば、インターネットＰＤＮ、管理ＰＤＮ）を示すために適用されうる。
【００７２】
態様によれば、第１のＲＡＴネットワークおよび第２のＲＡＴネットワークのうちの少なくとも１つは、ＬＴＥネットワークであり、第１のＲＡＴネットワークおよび第２のＲＡＴネットワークのうちの少なくとも１つは、ｅＨＲＰＤネットワークでありうる。本開示の態様は、ＬＴＥとＵＭＴＳとの間のパケット・データ・プロトコル（ＰＤＰ）コンテキスト転送に拡張されうる。例えば、態様によれば、第１のＲＡＴと第２のＲＡＴとのうちの少なくとも１つは、ｅＨＲＰＤネットワークまたはＵＭＴＳネットワークのうちの１つを含みうる。
【００７３】
ある態様では、単一のシグナリング・メッセージは、複数のＰＤＮ接続要求を伴うハンドオーバ・アタッチ要求メッセージを備えうる。前述したように、各ＰＤＮは、個別にアクティブ化されうる。あるいは、ＰＤＮのうちの少なくとも２つがともにアクティブ化されうる。これは、ＩＲＡＴ改善を促進しうる。
【００７４】
限定する訳ではなく、さまざまな技術が使用されうるネットワークの具体例として、これらさまざまな技術が、ＬＴＥネットワークおよびｅＨＲＰＤネットワークを参照して説明されている。しかしながら、当業者であれば、これら技術は、さまざまなタイプの無線ネットワークにおいて、より一般的に適用されうることを認識するだろう。
【００７５】
いくつかのシナリオは、第１のＲＡＴから第２のＲＡＴへのＩＭＳ  ＰＤＮコンテキスト、インターネットＰＤＮコンテキスト、および管理（例えば、プロビジョニング）ＰＤＮコンテキストを転送することを称しているが、当業者であれば、本明細書に記載された技術は、任意のタイプのＰＤＮコンテキストを転送することに適用されうることを認識するだろう。ＰＤＮコンテキストは、例えば、キャリア特有ＰＤＮ、オペレータ特有ＰＤＮ、および／または、ＧＰＳ  ＰＤＮのみならず、その他のＰＤＮコンテキストをも含みうる。例えば、転送されるべき複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、キャリア特有ＰＤＮコンテキスト、またはＧＰＳ  ＰＤＮコンテキストのうちの少なくとも２つを含みうる。そのようなサービスは、互いに直交しうる。
【００７６】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。
【００７７】
本明細書で使用される場合、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を行うことを含みうる。
【００７８】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００７９】
前述した方法のさまざまな動作は、例えばさまざまなハードウェア構成要素および／またはソフトウェア構成要素、回路、および／または、モジュール（単数または複数）のように、動作を実行することが可能な任意の適切な手段によって実行されうる。通常、図面に例示される何れの動作も、これら動作を実行することが可能な対応する機能手段によって実行されうる。
【００８０】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサでありうるが、代替案では、プロセッサは、任意の市販のプロセッサ、コントローラ、マイクロコントローラ、またはステート・マシンでありうる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティング・デバイスの組み合わせとして実現されうる。
【００８１】
本開示に関連して記載される方法またはアルゴリズムのステップは、ハードウェアで直接的に、プロセッサによって実行されるソフトウェア・モジュールで、あるいは、これらの組み合わせによって具体化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００８２】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００８３】
説明された機能は、ハードウェア、ソフトウェア、ファームウェア、またはその任意の組合せで実現されうる。ソフトウェアで実現される場合、これら機能は、コンピュータ読取可能な媒体に、１または複数の命令群として格納される。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。
【００８４】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００８５】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８６】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８７】
特許請求の範囲は、上述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８８】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、本願出願の当初の特許請求の範囲に記載された発明を付記する。
［Ｃ１］  少なくとも第１のラジオ・アクセス技術（ＲＡＴ）ネットワークと第２のＲＡＴネットワークとにおいて通信することが可能なデバイスによる無線通信のための方法であって、
複数のパケット・データ・ネットワーク（ＰＤＮ）コンテキストとの接続を用いて、前記第１のＲＡＴネットワークにおいて通信することと、
前記第２のＲＡＴネットワークへの移行の一部として、前記複数のＰＤＮコンテキストのうちの少なくとも２つを示す単一のシグナリング・メッセージを送信することと、
を備える方法。
［Ｃ２］  前記第１のＲＡＴネットワークおよび前記第２のＲＡＴネットワークのうちの少なくとも１つは、ロング・ターム・イボリューション（ＬＴＥ）ネットワークを備える、Ｃ１に記載の方法。
［Ｃ３］  前記単一のシグナリング・メッセージは、複数のＰＤＮ接続要求を伴うハンドオーバ・アタッチ要求メッセージを備える、Ｃ２に記載の方法。
［Ｃ４］  各ＰＤＮは個別にアクティブ化される、Ｃ３に記載の方法。
［Ｃ５］  前記ＰＤＮのうちの少なくとも２つがともにアクティブ化される、Ｃ３に記載の方法。
［Ｃ６］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ１に記載の方法。
［Ｃ７］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ６に記載の方法。
［Ｃ８］  各ＰＤＮは個別にアクティブ化される、Ｃ７に記載の方法。
［Ｃ９］  前記ＰＤＮのうちの少なくとも２つがともにアクティブ化される、Ｃ７に記載の方法。
［Ｃ１０］  前記単一のシグナリング・メッセージはさらに、前記移行の一部として転送されるべきＰＤＮコンテキストの数を示す、Ｃ１に記載の方法。
［Ｃ１１］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ１に記載の方法。
［Ｃ１２］  前記単一のシグナリング・メッセージはさらに、前記移行の一部としてアクティブ化されるべき新たなＰＤＮコンテキストを示す、Ｃ１に記載の方法。
［Ｃ１３］  前記新たなＰＤＮコンテキストおよび前記複数のＰＤＮコンテキストのおのおのが、個別にアクティブ化される、Ｃ１２に記載の方法。
［Ｃ１４］  前記新たなＰＤＮコンテキストおよび前記複数のＰＤＮコンテキストのうちの少なくとも２つがともにアクティブ化される、Ｃ１２に記載の方法。
［Ｃ１５］  少なくとも第１のラジオ・アクセス技術（ＲＡＴ）ネットワークと第２のＲＡＴネットワークにおいて通信することが可能なデバイスとの無線通信のための方法であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示す単一のシグナリング・メッセージを、前記デバイスから受信することと、
前記第１のＲＡＴネットワークから前記第２のＲＡＴネットワークへ前記複数のＰＤＮコンテキストを転送するために、前記単一のシグナリング・メッセージを処理することと、
を備える方法。
［Ｃ１６］  前記第１のＲＡＴネットワークおよび前記第２のＲＡＴネットワークのうちの少なくとも１つは、ロング・ターム・イボリューション（ＬＴＥ）ネットワークを備える、Ｃ１５に記載の方法。
［Ｃ１７］  前記単一のシグナリング・メッセージは、複数のＰＤＮ接続要求を伴うハンドオーバ・アタッチ要求メッセージを備える、Ｃ１６に記載の方法。
［Ｃ１８］  各ＰＤＮは個別にアクティブ化される、Ｃ１７に記載の方法。
［Ｃ１９］  前記ＰＤＮのうちの少なくとも２つがともにアクティブ化される、Ｃ１７に記載の方法。
［Ｃ２０］  前記単一のシグナリング・メッセージはさらに、前記移行の一部として転送されるべきＰＤＮコンテキストの数を示す、Ｃ１５に記載の方法。
［Ｃ２１］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ１５に記載の方法。
［Ｃ２２］  前記単一のシグナリング・メッセージはさらに、前記移行の一部としてアクティブ化されるべき新たなＰＤＮコンテキストを示す、Ｃ１５に記載の方法。
［Ｃ２３］  前記新たなＰＤＮコンテキストおよび前記複数のＰＤＮコンテキストの各々が、個別にアクティブ化される、Ｃ２２に記載の方法。
［Ｃ２４］  前記新たなＰＤＮコンテキストおよび前記複数のＰＤＮコンテキストのうちの少なくとも２つがともにアクティブ化される、Ｃ２２に記載の方法。
［Ｃ２５］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ１５に記載の方法。
［Ｃ２６］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ２５に記載の方法。
［Ｃ２７］  各ＰＤＮは個別にアクティブ化される、Ｃ２６に記載の方法。
［Ｃ２８］  前記ＰＤＮのうちの少なくとも２つがともにアクティブ化される、Ｃ２６に記載の方法。
［Ｃ２９］  少なくとも第１のラジオ・アクセス技術（ＲＡＴ）ネットワークと第２のＲＡＴネットワークにおいて通信することが可能なデバイスによる無線通信のための装置であって、
複数のパケット・データ・ネットワーク（ＰＤＮ）コンテキストとの接続を用いて、前記第１のＲＡＴネットワークにおいて通信する手段と、
前記第２のＲＡＴネットワークへの移行の一部として、前記複数のＰＤＮコンテキストのうちの少なくとも２つを示す単一のシグナリング・メッセージを送信する手段と、
を備える装置。
［Ｃ３０］  前記第１のＲＡＴネットワークおよび前記第２のＲＡＴネットワークのうちの少なくとも１つは、ロング・ターム・イボリューション（ＬＴＥ）ネットワークを備える、Ｃ２９に記載の装置。
［Ｃ３１］  前記単一のシグナリング・メッセージは、複数のＰＤＮ接続要求を伴うハンドオーバ・アタッチ要求メッセージを備える、Ｃ３０に記載の装置。
［Ｃ３２］  各ＰＤＮは個別にアクティブ化される、Ｃ３１に記載の装置。
［Ｃ３３］  前記ＰＤＮのうちの少なくとも２つがともにアクティブ化される、Ｃ３１に記載の装置。
［Ｃ３４］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ２９に記載の装置。
［Ｃ３５］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ３４に記載の装置。
［Ｃ３６］  各ＰＤＮは個別にアクティブ化される、Ｃ３５に記載の装置。
［Ｃ３７］  前記ＰＤＮのうちの少なくとも２つがともにアクティブ化される、Ｃ３５に記載の装置。
［Ｃ３８］  前記単一のシグナリング・メッセージはさらに、前記移行の一部として転送されるべきＰＤＮコンテキストの数を示す、Ｃ２９に記載の装置。
［Ｃ３９］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ２９に記載の装置。
［Ｃ４０］  前記単一のシグナリング・メッセージはさらに、前記移行の一部としてアクティブ化されるべき新たなＰＤＮコンテキストを示す、Ｃ２９に記載の装置。
［Ｃ４１］  前記新たなＰＤＮコンテキストおよび前記複数のＰＤＮコンテキストのおのおのが、個別にアクティブ化される、Ｃ４０に記載の装置。
［Ｃ４２］  前記新たなＰＤＮコンテキストおよび前記複数のＰＤＮコンテキストのうちの少なくとも２つがともにアクティブ化される、Ｃ４０に記載の装置。
［Ｃ４３］  少なくとも第１のラジオ・アクセス技術（ＲＡＴ）ネットワークと第２のＲＡＴネットワークとにおいて通信することが可能なデバイスとの無線通信のための装置であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示す単一のシグナリング・メッセージを、前記デバイスから受信する手段と、
前記第１のＲＡＴネットワークから前記第２のＲＡＴネットワークへ前記複数のＰＤＮコンテキストを転送するために、前記単一のシグナリング・メッセージを処理する手段と、
を備える装置。
［Ｃ４４］  前記第１のＲＡＴネットワークおよび前記第２のＲＡＴネットワークのうちの少なくとも１つは、ロング・ターム・イボリューション（ＬＴＥ）ネットワークを備える、Ｃ４３に記載の装置。
［Ｃ４５］  前記単一のシグナリング・メッセージは、複数のＰＤＮ接続要求を伴うハンドオーバ・アタッチ要求メッセージを備える、Ｃ４４に記載の装置。
［Ｃ４６］  各ＰＤＮは個別にアクティブ化される、Ｃ４５に記載の装置。
［Ｃ４７］  前記ＰＤＮのうちの少なくとも２つがともにアクティブ化される、Ｃ４５に記載の装置。
［Ｃ４８］  前記単一のシグナリング・メッセージはさらに、前記移行の一部として転送されるべきＰＤＮコンテキストの数を示す、Ｃ４３に記載の装置。
［Ｃ４９］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ４３に記載の装置。
［Ｃ５０］  前記単一のシグナリング・メッセージはさらに、前記移行の一部としてアクティブ化されるべき新たなＰＤＮコンテキストを示す、Ｃ４３に記載の装置。
［Ｃ５１］  前記新たなＰＤＮコンテキストおよび前記複数のＰＤＮコンテキストの各々が、個別にアクティブ化される、Ｃ５０に記載の装置。
［Ｃ５２］  前記新たなＰＤＮコンテキストおよび前記複数のＰＤＮコンテキストのうちの少なくとも２つがともにアクティブ化される、Ｃ５０に記載の装置。
［Ｃ５３］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ４３に記載の装置。
［Ｃ５４］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ５３に記載の装置。
［Ｃ５５］  各ＰＤＮは個別にアクティブ化される、Ｃ５４に記載の装置。
［Ｃ５６］  前記ＰＤＮのうちの少なくとも２つがともにアクティブ化される、Ｃ５４に記載の装置。
［Ｃ５７］  少なくとも第１のラジオ・アクセス技術（ＲＡＴ）ネットワークと第２のＲＡＴネットワークとにおいて通信することが可能なデバイスによる無線通信のための装置であって、
複数のパケット・データ・ネットワーク（ＰＤＮ）コンテキストとの接続を用いて、前記第１のＲＡＴネットワークにおいて通信し、
前記第２のＲＡＴネットワークへの移行の一部として、前記複数のＰＤＮコンテキストのうちの少なくとも２つを示す単一のシグナリング・メッセージを送信する、
ように構成された少なくとも１つのプロセッサと、
前記少なくとも１つのプロセッサに接続されたメモリと、
を備える装置。
［Ｃ５８］  前記第１のＲＡＴネットワークと前記第２のＲＡＴネットワークとのうちの少なくとも１つは、ロング・ターム・イボリューション（ＬＴＥ）ネットワークを備える、Ｃ５７に記載の装置。
［Ｃ５９］  前記単一のシグナリング・メッセージは、複数のＰＤＮ接続要求を伴うハンドオーバ・アタッチ要求メッセージを備える、Ｃ５８に記載の装置。
［Ｃ６０］  各ＰＤＮは個別にアクティブ化される、Ｃ５９に記載の装置。
［Ｃ６１］  前記ＰＤＮのうちの少なくとも２つがともにアクティブ化される、Ｃ５９に記載の装置。
［Ｃ６２］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ５７に記載の装置。
［Ｃ６３］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ６２に記載の装置。
［Ｃ６４］  各ＰＤＮは個別にアクティブ化される、Ｃ６３に記載の装置。
［Ｃ６５］  前記ＰＤＮのうちの少なくとも２つがともにアクティブ化される、Ｃ６３に記載の装置。
［Ｃ６６］  前記単一のシグナリング・メッセージはさらに、前記移行の一部として転送されるべきＰＤＮコンテキストの数を示す、Ｃ５７に記載の装置。
［Ｃ６７］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ５７に記載の装置。
［Ｃ６８］  前記単一のシグナリング・メッセージはさらに、前記移行の一部としてアクティブ化されるべき新たなＰＤＮコンテキストを示す、Ｃ５７に記載の装置。
［Ｃ６９］  前記新たなＰＤＮコンテキストおよび前記複数のＰＤＮコンテキストのおのおのが、個別にアクティブ化される、Ｃ６８に記載の装置。
［Ｃ７０］  前記新たなＰＤＮコンテキストおよび前記複数のＰＤＮコンテキストのうちの少なくとも２つがともにアクティブ化される、Ｃ６８に記載の装置。
［Ｃ７１］  少なくとも第１のラジオ・アクセス技術（ＲＡＴ）ネットワークと第２のＲＡＴネットワークにおいて通信することが可能なデバイスとの無線通信のための装置であって、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示す単一のシグナリング・メッセージを、前記デバイスから受信し、
前記第１のＲＡＴネットワークから前記第２のＲＡＴネットワークへ前記複数のＰＤＮコンテキストを転送するために、前記単一のシグナリング・メッセージを処理する、
ように構成された少なくとも１つのプロセッサと、
前記少なくとも１つのプロセッサに接続されたメモリと、
を備える装置。
［Ｃ７２］  前記第１のＲＡＴネットワークと前記第２のＲＡＴネットワークとのうちの少なくとも１つは、ロング・ターム・イボリューション（ＬＴＥ）ネットワークを備える、Ｃ７１に記載の装置。
［Ｃ７３］  前記単一のシグナリング・メッセージは、複数のＰＤＮ接続要求を伴うハンドオーバ・アタッチ要求メッセージを備える、Ｃ７２に記載の装置。
［Ｃ７４］  各ＰＤＮは個別にアクティブ化される、Ｃ７３に記載の装置。
［Ｃ７５］  前記ＰＤＮのうちの少なくとも２つがともにアクティブ化される、Ｃ７３に記載の装置。
［Ｃ７６］  前記単一のシグナリング・メッセージはさらに、前記移行の一部として転送されるべきＰＤＮコンテキストの数を示す、Ｃ７１に記載の装置。
［Ｃ７７］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ７１に記載の装置。
［Ｃ７８］  前記単一のシグナリング・メッセージはさらに、前記移行の一部としてアクティブ化されるべき新たなＰＤＮコンテキストを示す、Ｃ７１に記載の装置。
［Ｃ７９］  前記新たなＰＤＮコンテキストおよび前記複数のＰＤＮコンテキストの各々が、個別にアクティブ化される、Ｃ７８に記載の装置。
［Ｃ８０］  前記新たなＰＤＮコンテキストおよび前記複数のＰＤＮコンテキストのうちの少なくとも２つがともにアクティブ化される、Ｃ７８に記載の装置。
［Ｃ８１］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ７１に記載の装置。
［Ｃ８２］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ８１に記載の装置。
［Ｃ８３］  各ＰＤＮは個別にアクティブ化される、Ｃ８２に記載の装置。
［Ｃ８４］  前記ＰＤＮのうちの少なくとも２つがともにアクティブ化される、Ｃ８２に記載の装置。
［Ｃ８５］  少なくとも第１のラジオ・アクセス技術（ＲＡＴ）ネットワークおよび第２のＲＡＴネットワークにおいて通信することが可能なデバイスによる無線通信のためのコンピュータ・プログラム製品であって、
前記このコンピュータ・プログラム製品は、格納されたコードを有する非一時的なコンピュータ読取可能な媒体を備え、
前記コードは、
複数のパケット・データ・ネットワーク（ＰＤＮ）コンテキストとの接続を用いて、第１のＲＡＴネットワークで通信することと、
前記第２のＲＡＴネットワークへの移行の一部として、前記複数のＰＤＮコンテキストのうちの少なくとも２つを示す単一のシグナリング・メッセージを送信することと、
のために１または複数のプロセッサによって実行可能である、
コンピュータ・プログラム製品。
［Ｃ８６］  前記第１のＲＡＴネットワークと前記第２のＲＡＴネットワークとのうちの少なくとも１つは、ロング・ターム・イボリューション（ＬＴＥ）ネットワークを備える、Ｃ８５に記載のコンピュータ・プログラム製品。
［Ｃ８７］  前記単一のシグナリング・メッセージは、複数のＰＤＮ接続要求を伴うハンドオーバ・アタッチ要求メッセージを備える、Ｃ８６に記載のコンピュータ・プログラム製品。
［Ｃ８８］  各ＰＤＮは個別にアクティブ化される、Ｃ８７に記載のコンピュータ・プログラム製品。
［Ｃ８９］  前記ＰＤＮのうちの少なくとも２つがともにアクティブ化される、Ｃ８７に記載のコンピュータ・プログラム製品。
［Ｃ９０］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ８５に記載のコンピュータ・プログラム製品。
［Ｃ９１］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ９０に記載のコンピュータ・プログラム製品。
［Ｃ９２］  各ＰＤＮは個別にアクティブ化される、Ｃ９１に記載のコンピュータ・プログラム製品。
［Ｃ９３］  前記ＰＤＮのうちの少なくとも２つがともにアクティブ化される、Ｃ９１に記載のコンピュータ・プログラム製品。
［Ｃ９４］  前記単一のシグナリング・メッセージはさらに、前記移行の一部として転送されるべきＰＤＮコンテキストの数を示す、Ｃ８５に記載のコンピュータ・プログラム製品。
［Ｃ９５］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ８５に記載のコンピュータ・プログラム製品。
［Ｃ９６］  前記単一のシグナリング・メッセージはさらに、前記移行の一部としてアクティブ化されるべき新たなＰＤＮコンテキストを示す、Ｃ８５に記載のコンピュータ・プログラム製品。
［Ｃ９７］  前記新たなＰＤＮコンテキストおよび前記複数のＰＤＮコンテキストのおのおのが、個別にアクティブ化される、Ｃ９６に記載のコンピュータ・プログラム製品。
［Ｃ９８］  前記新たなＰＤＮコンテキストおよび前記複数のＰＤＮコンテキストのうちの少なくとも２つがともにアクティブ化される、Ｃ９６に記載のコンピュータ・プログラム製品。
［Ｃ９９］  少なくとも第１のラジオ・アクセス技術（ＲＡＴ）ネットワークおよび第２のＲＡＴネットワークにおいて通信することが可能なデバイスによる無線通信のためのコンピュータ・プログラム製品であって、
前記このコンピュータ・プログラム製品は、格納されたコードを有する非一時的なコンピュータ読取可能な媒体を備え、
前記コードは、
前記第１のＲＡＴネットワークから前記第２のＲＡＴネットワークへのデバイスの移行の一部として、前記デバイスが前記第１のＲＡＴネットワークにおいて通信していた複数のＰＤＮコンテキストを示す単一のシグナリング・メッセージを、前記デバイスから受信することと、
前記第１のＲＡＴネットワークから前記第２のＲＡＴネットワークへ前記複数のＰＤＮコンテキストを転送するために、前記単一のシグナリング・メッセージを処理することと、
のために１または複数のプロセッサによって実行可能である、コンピュータ・プログラム製品。
［Ｃ１００］  前記第１のＲＡＴネットワークおよび前記第２のＲＡＴネットワークのうちの少なくとも１つは、ロング・ターム・イボリューション（ＬＴＥ）ネットワークを備える、Ｃ９９に記載のコンピュータ・プログラム製品。
［Ｃ１０１］  前記単一のシグナリング・メッセージは、複数のＰＤＮ接続要求を伴うハンドオーバ・アタッチ要求メッセージを備える、Ｃ１００に記載のコンピュータ・プログラム製品。
［Ｃ１０２］  各ＰＤＮは個別にアクティブ化される、Ｃ１０１に記載のコンピュータ・プログラム製品。
［Ｃ１０３］  前記ＰＤＮのうちの少なくとも２つがともにアクティブ化される、Ｃ１０１に記載のコンピュータ・プログラム製品。
［Ｃ１０４］  前記単一のシグナリング・メッセージはさらに、前記移行の一部として転送されるべきＰＤＮコンテキストの数を示す、Ｃ９９に記載のコンピュータ・プログラム製品。
［Ｃ１０５］  前記複数のＰＤＮコンテキストは、ＩＰマルチメディア・サブシステム（ＩＭＳ）ＰＤＮコンテキスト、プロビジョニングＰＤＮコンテキスト、オペレータ特有ＰＤＮコンテキスト、またはＧＰＳ  ＰＤＮコンテキストのうちの少なくとも２つを含む、Ｃ９９に記載のコンピュータ・プログラム製品。
［Ｃ１０６］  前記単一のシグナリング・メッセージはさらに、前記移行の一部としてアクティブ化されるべき新たなＰＤＮコンテキストを示す、Ｃ９９に記載のコンピュータ・プログラム製品。
［Ｃ１０７］  前記新たなＰＤＮコンテキストおよび前記複数のＰＤＮコンテキストの各々が、個別にアクティブ化される、Ｃ１０６に記載のコンピュータ・プログラム製品。
［Ｃ１０８］  前記新たなＰＤＮコンテキストおよび前記複数のＰＤＮコンテキストのうちの少なくとも２つがともにアクティブ化される、Ｃ１０６に記載のコンピュータ・プログラム製品。
［Ｃ１０９］  前記第１のＲＡＴネットワークおよび前記第２のＲＡＴネットワークのうちの少なくとも１つは、エンハンスト高レートパケット・データ（ｅＨＲＰＤ）ネットワークまたはＵＭＴＳネットワークのうちの少なくとも１つを備える、Ｃ９９に記載のコンピュータ・プログラム製品。
［Ｃ１１０］  前記単一のシグナリング・メッセージは、複数のＰＤＮコンテキストを示すベンダ特有ネットワーク制御プロトコル（ＶＳＮＣＰ）コンフィギュレーション要求メッセージを備える、Ｃ１０９に記載のコンピュータ・プログラム製品。
［Ｃ１１１］  各ＰＤＮは個別にアクティブ化される、Ｃ１１０に記載のコンピュータ・プログラム製品。
［Ｃ１１２］  前記ＰＤＮのうちの少なくとも２つがともにアクティブ化される、Ｃ１１０に記載のコンピュータ・プログラム製品。
【図１】
0005795389.tif 000002
【図２】
0005795389.tif 000003
【図３】
0005795389.tif 000004
【図４】
0005795389.tif 000005
【図５】
0005795389.tif 000006
【図６】
0005795389.tif 000007
【図７】
0005795389.tif 000008
【図８】
0005795389.tif 000009
【図９】
0005795389.tif 000010
【図１０】
0005795389.tif 000011
【図１１】
0005795389.tif 000012
【図１２】
0005795389.tif 000013